(57)【要約】本発明は、当選予想番号範囲を生成するための方法に関するもので、さらに好ましくは、６／４５個の番号から当選番号が画定されている番号範囲のグループ内で毎回当選が予想される一部の番号で形成された番号範囲を区間別および段階別に分析して抽出した後、その番号範囲を規則のあるイメージ形態のデータで生成して使用者に提供し、使用者はイメージ形態のデータから定められた規則にしたがって、奇数および偶数を含む６個の当選予想番号を抽出して直接判別できるようにした予想番号範囲生成に関するものである。【選択図】図１
2018513509.tif 000002
【特許請求の範囲】
【請求項１】
使用者は、インターネットまたはスマートフォンを通じて９個の横番号の配列と５個の縦番号の配列にしたがって横に１〜４５の番号を順次的または非順次的に記載してなるＸ軸の番号配列組合わせ（Ｘ）と９個の横番号の配列と５個の縦番号の配列にしたがって縦１〜４５の番号を順次的または非順次的に記載してなるＹ軸番号の配列（Ｙ）で形成された当選予想番号範囲をダウンロードする当選予想番号アプリケーションダウンロード段階；
前記使用者は当選予想番号アプリケーションに接続して会員加入後ログインするログイン段階；
前記ログイン状態の当選予想番号アプリケーションで当選予想番号範囲を組み合わせている当選予想番号範囲データの要請を管理サーバーに伝送する段階；
前記管理サーバーから使用者が要請した当選予想番号範囲データを使用者に伝送する段階；
前記伝送された当選予想番号範囲データを通じて、当選予想番号を生成するためのＸ軸の番号配列組合わせ（Ｘ）とＹ軸の番号配列組合わせ（Ｙ）をそれぞれ横３個の番号の配列（１２３）（４５６）（７８９）と縦５個の番号の配列（１２３４５）で形成されるように、３個（Ａ、Ｂ、Ｃ）に分離して区間番号の配列集合からなるＸ軸およびＹ軸区間番号の配列集合Ｘ（Ａ、Ｂ、Ｃ）、Ｙ（Ａ、Ｂ、Ｃ）と、前記Ｘ軸区間番号の配列集合は横（ｘ）３個の番号の配列（１２３）と縦（ｙ）５個の配列（１２３４５）で形成してそれぞれ８種類のグループが生成（ａｂｃｄ）（ｅｆｇｈ）されるようにしてなる個別番号の配列集合（ｘ、ｙ）群を順次または非順次的に使用者が当選予想番号範囲データを入力する段階；
前記当選予想番号範囲データに入力された個別番号の配列集合（ｘ、ｙ）群に対して管理サーバーで４種類（２：ａｅｃｇ）（３：ｂｆｄｈ）のグループを束ねて予想番号集合がなされるように形成されたｘおよびｙの二重集合配列（２、３）群の共通番号（ｘ∩ｙ）を抽出して個別集合（Ａ＋Ｂ＋Ｃ）の当選予想番号範囲を抽出し、これをディスプレイにイメージ形態で表示すると、需要者は表示された当選予想番号範囲内で当選予想番号を選定して管理サーバーに分析を要請する段階；
前記管理サーバーで需要者が入力した当選予想番号を分析して需要者に当選可能な当選予想番号を付与する付与段階；
を含んでなることを特徴とする、当選予想番号範囲を生成する方法。
【請求項２】
前記Ｘ軸の番号配列組合わせ（Ｘ）でマーキングする縦ラインの確率は５１２通りであり、６／４５の場合の計算は９Ｃ２＋９Ｃ３＋９Ｃ４＋９Ｃ５＋９Ｃ６＝４５６であり、これは番号の配列だけが異なるＹ軸の番号配列組合わせ（Ｙ）でも４５６通りであり、この時の縦ラインＸ∩Ｙが組み合わせできる場合の数量になるので、（Ｘ軸の番号配列組合わせの４５６）×（Ｙ軸の番号配列組合わせの４５６）＝２０７，９３６通りがＸ∩Ｙして抽出できる番号範囲からなることを特徴とする、請求項１に記載の当選予想番号範囲を生成する方法。
【請求項３】
Ｘ軸の番号配列組合わせ（Ｘ）は９個の横番号の配列と５個の縦番号の配列にしたがって横に１〜４５の番号を順次的または非順次的に記載し、
Ｙ軸の番号配列組合わせ（Ｙ）は９個の横番号の配列と５個の縦番号の配列にしたがって縦に１〜４５の番号を順次的または非順次的に記載し、
Ｘ軸の番号配列組合わせ（Ｘ）とＹ軸の番号配列組合わせ（Ｙ）からそれぞれ予想当選番号６個の番号と一致した横および縦配列組合わせを抽出し、
前記抽出されたＸ軸の番号配列組合わせとＹ軸の番号配列組合わせからそれぞれ共通集合の予想当選番号を抽出した後、横配列に記載されている一つ以上の当選予想番号と縦配列にそれぞれ一つずつ記載されている当選予想番号の中から絶対番号を抽出し、絶対番号を含んだ予想当選番号の中で奇数の当選予想番号と偶数の当選予想番号の比率を対比し、Ｘの縦ラインとＹの縦ラインに相互充足する規則を適用して当選予想番号を抽出することができるようになされることを特徴とする、請求項１に記載の当選予想番号範囲を生成する方法。
【請求項４】
前記当選予想番号範囲をグラフで抽出するためには、
１段には今回の当選番号がわからないので０で表記し、
２段には現在の二重集合配列群の０と１回前（ｂｅｆｏｒｅ）の当選番号に該当する１段の二重集合配列群の合計を表記し、
３段には現在の二重集合配列群の０回前と当選番号に該当する１段の二重集合配列群と２回前（ｂｅｆｏｒｅ）の当選番号に該当する１段の二重集合配列群の当選番号の合計を表記し、
４段には現在の二重集合配列群の０と１回前の当選番号に該当する１段の二重集合配列群と２回前と３回前（ｂｅｆｏｒｅ）の当選番号の合計を表記し、
５段には現在の二重集合配列群の０と１回前の当選番号に該当する１段の二重集合配列群と２回前と３回前、４回前（ｂｅｆｏｒｅ）の当選番号の合計を表記し、
６段には現在の二重集合配列群の０と１回前の当選番号に該当する１段の二重集合配列群と２回前と３回前、４回前、５回前（ｂｅｆｏｒｅ）の当選番号の合計を表記し、
７段には現在の二重集合配列群の０と１回前の当選番号に該当する１段の二重集合配列群と２回前と３回前、４回前、５回前、６回前（ｂｅｆｏｒｅ）の当選番号の合計を表記し、
８段には現在の二重集合配列群の０と１回前の当選番号に該当する１段の二重集合配列群と２回前と３回前、４回前、５回前、６回前、７回前（ｂｅｆｏｒｅ）の当選番号の合計を表記し、
９段には現在の二重集合配列群の０と１回前の当選番号に該当する１段の二重集合配列群と２回前と３回前、４回前、５回前、６回前、７回前、８回前（ｂｅｆｏｒｅ）の当選番号の合計を表記し、
前記１段から９段で毎回作成した各段にある二重集合配列群の点と次の回次から各段に該当する二重集合配列群の点を互いに連結したグラフを通じて当選予想番号の流れを視覚的に現わせるように表示したことを特徴とする、請求項１に記載の当選予想番号範囲を生成する方法。
【発明の詳細な説明】
【技術分野】
【０００１】
本発明は、当選予想番号範囲を生成する方法に関するもので、さらに好ましくは６／４５個の番号から当選番号が画定されている番号範囲のグループ内で毎回当選が予想される一部の番号で形成された番号範囲を区間別および段階別に分析して抽出した後、その番号範囲を規則のあるイメージ形態のデータで生成して、使用者に当選予想番号アプリケーションをインターネットまたはスマートフォンに提供し、使用者は当選予想番号アプリケーションに連結してイメージ形態のデータから定められた規則にしたがって奇数および偶数を含む６個の当選予想番号範囲を抽出して直接判別できるようにした、当選予想番号範囲を生成する方法に関するものである。
【背景技術】
【０００２】
一般にロト宝くじは、１番から４５番までの番号数字のうち６個の番号が一致する１等の確率は１／８，１４５，０６０である。
【０００３】
使用者は該確率に依存して１等の当選を期待し、過去に１等の番号が何度も出現している番号で組み合わせるか、吉夢または運勢などの内容を数字などに変換して、ロト宝くじ用申し込みカードに任意にマーキングしたり、ロト宝くじ端末機が設置された販売店を探して自動および半自動の発売方式を選択したりする。
【０００４】
また、ロト宝くじの１等当選の確率を高めるために、最近よく出現したロト当選番号をデータベース（ＤＢ）に保存して標本数検出力を利用するウィッスン法、高い確率分布を探すガウス法、期待値の方法であるホイヘンス法などを応用したり、それなりの多様な数学的統計法や分析法およびフィルタリングを通じて４５個の番号のうち６個の番号を抽出するインターネット上の多くの宝くじ業者などから有料または無料で６個の番号の提供を受けてロトの当選番号に選択したりもする。
【０００５】
しかし、従来の使用者と宝くじ業者などは、ロト当選番号が過去から現在までどの方向にどのように変化してきたのかを視覚的に比較できるデータが構成されていないため、ロト当選番号と比較する場合、どの番号がどの過程でどのようにちがっているかを判断できない問題点があった。
【０００６】
また、連続した６個のロト当選予想番号（たとえば、１，２，３，４，５，６）の確率は１／５８億６４４４万３２００（１／４５Ｘ４４Ｘ４３Ｘ４２Ｘ４２Ｘ４１）であるので、  当選する確率が極めて低いという数学的な原理しか知っておらず、このような番号を検証装置によって視覚的に比較して根本的に排除させるか選択することができないため、当選するかもしれない前記連続した６個の番号を当選の確率が低いという数学的な原理だけによって、一概に排除させる問題点があった。
【０００７】
また、すでに公開された特許登録１０−１１４０２９４号の技術構成は、ロト宝くじ用申し込みカードの配列順序（横７×縦７）の形態であって、当選予想番号範囲の奇数および偶数を含む６個の番号を最近頻繁に出現した番号とあまり出現していない番号で構成して選定した番号は、確率の期待数量だけ番号を無作為で抽出するため、繰り返し抽出しなければならない頻度数が多いという問題点があった。それだけでなく、毎回６／４５に対して、規定された区域なしに不規則な新しい番号範囲を抽出することによって、離脱番号を含む重複した組合わせが発生する問題点があった。
【０００８】
また、奇数と偶数も、頻繁に出現したか出現していない、その２通りの範囲で区分して組合わせ原理の数量の通り無制限に抽出しなければならない問題点と、宝くじ業者から６個のロト当選予想番号の提供を受けた需要者は、任意に番号を修正または除外するとしても、その番号の範囲とその検証機能がないため、奇数と偶数で構成された番号のうち、どの番号を修正または除外するかの判断に対する問題点があった。
【０００９】
そして、需要者は、当選予想番号範囲を任意に抽出するかまたは宝くじ業者から提供された組合わせ機械装置を使って番号を修正または除外させるとしても、修正または除外する理由がわからないため、組合わせ機械装置の指示にしたがって受動的に番号を採択しなければならない問題点もあった。
【００１０】
また、従来公開された公開特許１０−２００９−００６６９９８号は、４８面体のサイコロを利用して出た数字を変換表や演算表、ロト番号札、回別記録表で構成されたロトサイコロボードを利用して、一人以上がサイコロ遊びをするように、変換法則や変換演算法則を適用して簡単な演算を通じて予想番号を抽出しているが、これは正確度が落ちる単なるゲーム遊びに過ぎないものである。
【００１１】
それだけでなく、公開特許１０−２０１４−００５０９２５号は、既に当選した当選番号を回別に保存するための当選番号（ＤＢ）；および当選番号（ＤＢ）に保存された当選番号を利用して計算される各回毎の当選番号の総計、前記保存された当選番号を利用して各回毎の当選番号に対して前記選択可能番号の中間値を基準として計算される低い値と高い値の高低比率、前記保存された当選番号を利用して計算される各回毎の当選番号の奇数および偶数の奇偶比率、前記保存された当選番号を利用して各回毎の当選番号のうち最も高い数字と最も低い数字を出して計算される高低合計、前記保存された当選番号を利用して各回毎の当選番号のうち最初の数字を足して計算される最初の数字の合計および前記保存された当選番号を利用して各回毎の当選番号のうち最後の数字を足して計算される最後の数字の合計に対するそれぞれの統計的分析結果による抽出フィルタを選択的に利用して当選予想番号を抽出するサーバーを含む構成であって、予想当選番号をコンピュータで組み合わせるため、需要者が視覚的に当選番号を予測するための実感を得る効果がなかったのである。
【先行技術文献】
【特許文献】
【００１２】
【特許文献１】韓国登録特許第１０−１１４０２９４号公報
【特許文献２】韓国公開特許第１０−２００９−００６６９９８号公報
【特許文献３】韓国公開特許第１０−２０１４−００５０９２５号公報
【発明の概要】
【発明が解決しようとする課題】
【００１３】
本発明は前述したような問題点を解決するために案出されたもので、本発明が解決しようとする課題は、変化の激しい当選番号の流れを、単によく出る番号とそうでない番号にだけ区分して当選予想番号を抽出する現実を勘案する時、当選番号を２６２，１４４通りの番号範囲に画定した区域の中で、毎回４５個の番号を対象に３区間（番号別）および９段階（過去の流れ別）に番号範囲を区分し、細かく分析してこれを視覚的に表示することによって、毎回番号範囲を抽出するための個々の番号の離脱と重複した組合わせを事前に防止することができ、当選番号と比較する場合、どの番号の区間がどの方向に進行したかをリアルタイムで使用者はインターネットまたはスマートフォンに設置された当選予想番号アプリケーションで確認することができるので、当選予想番号を具体的に抽出するように当選確率を高め、当選予想番号の番号範囲を規則のあるイメージ形態のＸ型またはＹ型のデータを提供することを目的とする。
【００１４】
したがって、当選予想番号の修正または削除を論理的にすることができ、当選する確率が極めて低い番号も必ず採択するか排除させ得るようにすることにその目的がある。
【００１５】
また、需要者や宝くじ業者は、ロトの当選確率が高く予想される範囲が決まっていないか、決めるとしても毎回ごとにその範囲を新しく選定して６個の番号を抽出することを繰り返すが、本発明は当選番号の範囲が画定されているグループ内でのみ毎回ロト当選番号を含む番号範囲の流れを区間および段階別に比較分析して当選予想範囲を抽出し検証できる装置を設けることによって、当選確率を高めることにその目的がある。
【００１６】
そして、本発明は、当選番号範囲が２６２，１４４通りに画定されたグループ内で毎回の当選番号範囲の流れを３区間および９段階で予測して番号範囲を抽出し、ロト宝くじ用申し込みカードの配列順序（横７×縦７）ではない、横９行×縦５行に再配列したＸ型とＹ型でそれぞれ生成し、当選機会を促進するためにＸ型またはＹ型を、検証装置があるイメージ形態のデータをインターネットやスマートフォンに設置された当選予想番号アプリケーションに記録して提供するようにすることを目的とする。したがって、需要者が除外させる番号または採択しなければならない番号を規則によって直接判別することができる。
【課題を解決するための手段】
【００１７】
前記のような目的を達成するための本発明の構成を添付された図面に基づいて詳細に説明する。
【００１８】
本発明に係る当選予想番号範囲を生成するための方法は、使用者はインターネットまたはスマートフォンを通じて、９個の横番号の配列と５個の縦番号の配列にしたがって横に１〜４５の番号を順次的または非順次的に記載してなるＸ軸の番号配列組合わせ（Ｘ）と９個の横番号の配列と５個の縦番号の配列にしたがって縦１〜４５の番号を順次的または非順次的に記載してなるＹ軸番号の配列（Ｙ）で形成された当選予想番号範囲をダウンロードする当選予想番号アプリケーションダウンロード段階；前記使用者は当選予想番号アプリケーションに接続して会員加入後ログインするログイン段階；前記ログイン状態の当選予想番号アプリケーションで当選予想番号範囲を組み合わせている当選予想番号範囲データの要請を管理サーバーに伝送する段階；前記管理サーバーから使用者が要請した当選予想番号範囲データを使用者に伝送する段階；前記伝送された当選予想番号範囲データを通じて当選予想番号を生成するためのＸ軸の番号配列組合わせ（Ｘ）とＹ軸の番号配列組合わせ（Ｙ）をそれぞれ横３個の番号の配列（１２３）（４５６）（７８９）と縦５個の番号の配列（１２３４５）で形成されるように、３個（Ａ、Ｂ、Ｃ）に分離して区間番号の配列集合からなるＸ軸およびＹ軸区間番号の配列集合Ｘ（Ａ、Ｂ、Ｃ）、Ｙ（Ａ、Ｂ、Ｃ）と、前記Ｘ軸区間番号の配列集合は横（ｘ）３個の番号の配列（１２３）と縦（ｙ）５個の配列（１２３４５）に形成してそれぞれ８種類のグループが生成（ａｂｃｄ）（ｅｆｇｈ）されるようにしてなる個別番号の配列集合（ｘ、ｙ）群を順次または非順次的に使用者が当選予想番号範囲データを入力する段階；前記当選予想番号範囲データに入力された個別番号の配列集合（ｘ、ｙ）群に対して管理サーバーで４種類（２：ａｅｃｇ）（３：ｂｆｄｈ）のグループを束ねて予想番号集合がなされるように形成されたｘおよびｙの二重集合配列（２、３）群の共通番号（ｘ∩ｙ）を抽出して個別集合（Ａ＋Ｂ＋Ｃ）の当選予想番号範囲を抽出し、これをディスプレイにイメージ形態で表示すると需要者は表示された当選予想番号範囲内で当選予想番号を選定して管理サーバーに分析を要請する段階；前記管理サーバーで需要者が入力した当選予想番号を分析して需要者に当選可能な当選予想番号を付与する付与段階；を含んでなることを特徴とする当選予想番号範囲を生成する方法を提供するものである。
【発明の効果】
【００１９】
前記のような特徴を有する本発明は、当選予想番号範囲を６４区域に画定して毎回その区域で当選番号範囲の流れを分析してＸ形態とＹ形態で予想番号範囲を抽出した後、一定の規則を適用してさらに縮小された番号範囲を提供できる効果がある。
【００２０】
それだけでなく、本発明はすでに当選した当選番号を抽出してこれらの集合群を９段で表示し、過去から未来まで当選予想番号の流れをグラフで表示して視覚的に当選予想番号を予測するための実感が得られる効果がある。
【図面の簡単な説明】
【００２１】
【図１】本発明に係る当選予想番号範囲を生成するための構成図。
【図２】本発明に係る当選予想範囲を図表で示した構成図。
【図３】本発明に係る当選予想番号を視覚的に示したグラフ。
【図４】本発明に係る図３の各段別合計を視覚的に示したグラフ。
【図５】本発明に係る当選予想番号範囲を生成するために示したブロック図。
【発明を実施するための形態】
【００２２】
以下、添付された図面を参照して本発明に係る実施例を詳細に説明する。
【００２３】
本発明に係る当選予想番号範囲を生成する構成を詳察すると、インターネットまたはスマートフォンを通じてダウンロードすることができる９個の横番号の配列と５個の縦番号の配列にしたがって横に１〜４５の番号を順次的または非順次的に記載してなるＸ軸の番号配列組合わせ（Ｘ）と、９個の横番号の配列と５個の縦番号の配列にしたがって縦に１〜４５の番号を順次的または非順次的に記載してなるＹ軸の番号配列組合わせ（Ｙ）からなることを特徴とする。
【００２４】
前記Ｘ軸の番号配列組合わせとＹ軸の番号配列組合わせは使用者が任意に番号を重複なく記載しても同一である。したがって、このような配列組合わせを非順次的配列組合わせとする。
【００２５】
下記の本発明に係る実施例では、理解度を高めるために順次的配列でのみ記載されるＸ軸の番号配列組合わせ（Ｘ）とＹ軸の番号配列組合わせ（Ｙ）に対して説明した後、前記構成からなる当選予想番号アプリケーションの実行について詳細に説明する。
【００２６】
前記のような構成によって形成される当選予想番号範囲の配列組合わせについて図１を参照してより具体的に詳察する。
【００２７】
１．９×５形態からなるＸ、Ｙの横および縦配列に対する説明。
【００２８】
１）条件：表１はＸ形態の横番号の配列をＹ形態の縦番号の配列に変形させたものである。
【００２９】
【表１】
2018513509.tif 000003
Ｘの横配列                          Ｙの縦配列
【００３０】
２）例示として、ロト６１７回当選番号が４、５、１１、１２、２４、２７（奇３：偶３）でありボーナス番号は除外。
【００３１】
前記当選番号がある縦ラインを表２に表わしたように、Ｘ形態とＹ形態に全部マーキングする。
【００３２】
Ｘ軸の番号配列組合わせとＹ軸の番号配列組合わせに配列されている当選番号は常に同じであり、当選番号が記載されてマーキングされた縦ラインの位置だけが異なる。
【００３３】
縦ラインでマーキングした位置の番号がＸ軸の番号配列組合わせおよびＹ軸の番号配列組合わせの予想番号の範囲であるが、本発明はＸ軸の番号配列組合わせおよびＹ軸の番号配列組合わせのマーキングした位置をそれぞれ抽出するものである。
【００３４】
【表２】
2018513509.tif 000004
Ｘ：４、５、１１、１２、２４、２７            Ｙ：４、５、１１、１２、２４、２７
【００３５】
３）Ｘ軸の番号配列組合わせの当選予想番号の番号は３０個であり、Ｙ軸の番号配列組合わせの番号は２０個である。
【００３６】
４）Ｘ軸の番号配列組合わせだけから６個の当選予想番号を抽出するのであれば、３０Ｃ６＝１／５９３，７７５である。また、Ｙ軸の番号配列組合わせは、２０Ｃ６＝１／３８，７６０である。
【００３７】
５）しかし、表３に表わしたように、Ｘ∩Ｙの共通した番号の数量はＸとＹはそれぞれ１６個の番号まで少なくなることがわかる。確率は、１６Ｃ６＝１／８，００８である。
【００３８】
【表３】
2018513509.tif 000005
Ｘ∩Ｙ：奇（３、５，１１，１３，１５，２１，２３，２７，２９＝９個）
偶（２，４，１２，１４，２２，２４，３０＝７個）
合計１６個の番号
【００３９】
６）Ｘ軸の番号配列組合わせとＹ軸の番号配列組合わせの奇数は９個、偶数は７個であり、足すと１６個の番号である。
【００４０】
奇数と偶数選択：すでに当選予想番号の流れを予想して番号範囲が抽出されたものであるので、番号範囲の中でのみ当選番号が出ると仮定して番号範囲に存在する番号でのみ奇偶を区分できる特徴がある。
【００４１】
例えば、第６１７回のロト当選番号の場合を見ると、共通番号１６個の番号のうち奇数が偶数より２個多い。したがって、直観的に判断しても当選番号は奇数が偶数より多く出る可能性が多いと予想することができ、奇数が偶数より２２．３％多いので、６個の予想番号を（奇３、偶３）または（奇４、偶２）で構成することが可能であり、これを適用すれば確率がさらに高くなる。
【００４２】
７）一定の規則の適用：各Ｘ軸の番号配列組合わせおよびＹ軸の番号配列組合わせは、当選番号で構成された番号だけを縦ラインでマーキングしてＸ∩Ｙした番号で構成されたものであるので、Ｘ軸の番号配列組合わせおよびＹ軸の番号配列組合わせに対して、規則１、位置は異なるが採択した６個の番号はＸ軸の番号配列組合わせとＹ軸の番号配列組合わせが互いに同一でなければならず、規則２、Ｘ軸の番号配列組合わせとＹ軸の番号配列組合わせに与えられた縦ラインをそれぞれ満足し満たすことができる番号を採択しなければならないという規則が成立する。
【００４３】
すなわち、Ｘ軸の番号配列組合わせの番号範囲内で縦６行を満足するある６個の番号は、Ｙ軸の番号配列組合わせの番号範囲内でも縦４行と同時に満足する番号からのみ採択することができる。
【００４４】
小結：当選番号の予想は確率をどれほど減らすかによってその成敗が左右されるので、どのような方法を適用するかによって確率の大きさは非常に異なってくる。
【００４５】
Ｘ∩Ｙの共通番号は、Ｘ軸の番号配列組合わせまたはＹ軸の番号配列組合わせの中で少ない縦ラインの番号を有するＸ軸の番号配列組合わせまたはＹ軸の番号配列組合わせの番号の数量よりも必ず縮小されるので、それだけ当選確率が高くなる。
【００４６】
Ｘ軸の番号配列組合わせとＹ軸の番号配列組合わせの共通番号の中で自主検証機能がある規則を適用して予想番号を採択すれば当選確率はさらに高くなる。
【００４７】
８）本発明による自主検証機能（規則）を適用することによって縮小された確率。
【００４８】
８−１）表４に表わした通り、
例示（１）当選番号１、２、３、４、５、６と仮定（奇３、偶３）
【００４９】
【表４】
2018513509.tif 000006
Ｘ数量：３０個、３０Ｃ６＝１／５９３，７７５→協力対応関係←Ｙ数量：１０個、１０Ｃ６＝１／２１０
【００５０】
【表５】
2018513509.tif 000007
ｘ∩ｙすることによって、ｙの１０個数量より少ない７個の共通番号に縮小、７Ｃ６＝１／７である。規則を適用する場合、確率は１／２と、非常に高くなる。
【００５１】
前記のＸとＹは、Ｘ軸の番号配列組合わせとＹ軸の番号配列組合わせを表わしたものである。
【００５２】
そして、本発明の規則を適用すれば、Ｘ軸の番号配列組合わせの場合、もし、縦１番の番号を採択すれば、残りの５個の番号をＸ軸の番号配列組合わせの縦ラインが残った５行から採択しなければならないので、Ｘ軸の番号配列組合わせだけの１番と縦ラインに一緒にある残りの１０番は必ず排除させなければならない。
【００５３】
また、Ｘ軸の番号配列組合わせで１番の番号を採択して１０番の番号を排除したので、Ｙ軸の番号配列組合わせも１番を採択して１０番を排除しなければならない。
【００５４】
Ｘ軸の番号配列組合わせは、残った５行から５個の番号を選択しなければならないが、５個しかないので５個の番号である２、３、４、５、６、を全部採択せざるを得ず、Ｙ軸の番号配列組合わせも残る番号が５個しかないので番号全体である１、２、３、４、５、６、を採択せざるを得ない。
【００５５】
もし、１番を排除するのであれば、同じ方法で２、３、４、５、６、１０しかないので、結局採択できる番号は２種類であり、１／７の確率が１／２まで３．５倍高くなる。また表５に表わした通り、前記の場合、規則（１、２）が妥当に適用されたことがわかる。
【００５６】
【表６】
2018513509.tif 000008
【００５７】
８−２）下記の表７に表わしたように、例示（２）当選番号は２、１０、１１、１９、２０、２９と仮定（奇３、偶３）
【００５８】
【表７】
2018513509.tif 000009
Ｘ数量：１０個、１０Ｃ６＝１／２１０→協力対応関係←Ｙ数量：２５個、２５Ｃ６＝１／１７７，１００  
2018513509.tif 000010
【００５９】
Ｘ∩Ｙすることによって、Ｘ軸の番号配列組合わせの１０個の数量より少ない８個の共通番号まで縮小、８Ｃ６＝１／２８である。
【００６０】
Ｙ軸の番号配列組合わせの場合、絶対番号１０、１１の出現で６Ｃ４＝１／１５であるが、残りの３ライン中から４個の番号を採択しなければならないので、表７に表わしたように、必ず１行は２個の番号が含まれた（１、２）ｏｒ（１９、２０）ｏｒ（２８、２９）である。１５−３＝１／１２まで確率が高くなったことがわかる。
【００６１】
【表８】
2018513509.tif 000011
【００６２】
したがって、例示（１）のＸ軸の番号配列組合わせ（Ｘ）の場合、確率を適用する必要なく２、３、４、５、６は縦ラインの唯一の番号である絶対番号を視覚的に判別可能であるので必ず採択しなければならない番号であり、残りの１個の番号のみを残りの縦ラインから採択すればよいが、Ｙ軸の番号配列組合わせ（Ｙ）の場合、絶対番号が存在しないので番号の採択を７Ｃ６を適用しなければならない必要があるにもかかわらず、自主検証機能を適用するとＸ軸の番号配列組合わせに採択された番号はＹ軸の番号配列組合わせでも必ず採択しなければならないので、Ｘ軸の番号配列組合わせによってＹ軸の番号配列組合わせの採択番号が容易となる。
【００６３】
例示（２）の場合、例示（１）と類似しているが結果には明確な差がある。
【００６４】
Ｘ∩Ｙによって番号範囲は縮小され、例示（１）のＸ軸の番号配列組合わせとは異なり、絶対番号がＹ軸の番号配列組合わせでのみ出現してＸ軸の番号配列組合わせの番号から除外させることができるので、Ｘ軸の番号配列組合わせとＹ軸の番号配列組合わせは共に全体の確率が高くなることがわかる。
【００６５】
したがって、Ｘ軸の番号配列組合わせとＹ軸の番号配列組合わせは、相互協力対応関係と自主検証機能で当選予想番号の確率をさらに高められる機能がある。
【００６６】
また、１等の当選確率である１／８，１４５，０６０個中には、連続した番号、たとえば、１、２、３、４、５、６または１、２、３、４、５、７または１、２、３、８、９、１０など、このような番号も数十万通り以上が含まれているものであり、この番号の中でいずれか一通りが毎回発生し得るものであるので、Ｘ∩Ｙの共通番号の抽出と規則を適用した番号には連続番号を論理的に抽出または排除できる特徴がある。
【００６７】
小結：本発明は前述した通り、従来の方法である単に３０個の番号から６個の番号を抽出する３０Ｃ６＝１／５９３，７７５の当選確率を１／２まで高めることもでき、きわめて希薄な当選確率まで自主検証機能を有した規則によって抽出または排除できるので、従来の需要者や宝くじ業者が採択する方法より当選確率が非常に高い。
【００６８】
２．番号範囲が集まっているグループ生成方法
目的：個々の番号を抽出して番号範囲を生成するのではなく、当選番号範囲が画定されたグループから毎回予想番号範囲を抽出して提供することである。
【００６９】
１）当選番号は互いに異なる６個の番号であり、９×５形態の縦１行は５個の番号のみがあるので当選番号は常に２行から６個の縦ラインの中にのみ存在し、この時のマーキングした縦ラインの位置が当選番号の範囲となる。
【００７０】
前記１のＸ軸の番号配列組合わせ（９×５）とＹ軸の番号配列組合わせ（９×５）はそれぞれ行の規格が一致するので、縦ラインのマーキング位置とマーキング数量も常に一致する。
【００７１】
ただし、Ｙ軸の番号配列組合わせはＸ軸の番号配列組合わせと番号の配列が異なるので、同じ当選番号であってもＹ軸の番号配列組合わせの縦ラインマーキングの位置はＸ軸の番号配列組合わせの縦ラインマーキングの位置と異なって表示される。
【００７２】
２）当選番号は常に６個の番号であることを考慮する時、Ｘ軸の番号配列組合わせ（９×５）のマーキングする縦ラインの確率は９Ｃ２＋９Ｃ３＋９Ｃ４＋９Ｃ５＋９Ｃ６＝４５６通りであり、これは番号の配列だけが異なるＹ軸の番号配列組合わせも４５６通りであり、この時の縦ラインの種類はＸ∩Ｙが組み合わせられる場合の数量となるので、（Ｘ）４５６×（Ｙ）４５６＝２０７，９３６通りがＸ∩Ｙして抽出できる番号範囲である。
【００７３】
３）ところで、毎回発生するロト当選番号の当選範囲を確認し記録してＤＢに保存するためには、前記２０７，９３６通りの縦ラインマーキング数量をいちいちＸ軸の番号配列組合わせとＹ軸の番号配列組合わせを対照しなければならず、これは電算装置では可能であるが視覚的に認識するには時間と場所および空間に不都合な点がある。
【００７４】
したがって、前記不都合な点を解消して視覚的に判別できるように、一目瞭然に２０７，９３６通りを凝縮する他の体制を発明するに至ったのである。
【００７５】
２−１．番号範囲グループの生成
１）前記Ｘ軸の番号配列組合わせとＹ軸の番号配列組合わせのマーキングする縦ラインの位置と数量は同じであるため、便宜上Ｘ軸の番号配列組合わせだけで説明する。
【００７６】
２）当選番号の流れを番号別に把握するために、表９に示すようにその区間をＡ、Ｂ、Ｃの３区間の形態に分類する。
【００７７】
【表９】
2018513509.tif 000012
ＸＡ１区間  ＸＢ２区間    ＸＣ３区間      ＹＡ１区間  ＹＢ２区間  ＹＣ３区間
【００７８】
Ｘ軸の番号配列組合わせの９×５（横×縦）の横９を縦ラインで３等分してＸＡ（３×５）、ＸＢ（３×５）、ＸＣ（３×５）に分類し、Ａ、Ｂ、Ｃをそれぞれ同じ条件で組み合わせて、Ｘ（Ａ×Ｂ×Ｃ）すれば、Ｘ軸の番号配列組合わせの９×５の当選番号範囲に該当する全体の組合わせ数量と同じであるので、ＸＡの３個の縦ラインにマーキングする位置を以下の表１０のように仮定する場合、この時のそれぞれの１行は５個の番号を含む個別集合である。
【００７９】
【表１０】
2018513509.tif 000013
【００８０】
Ａ（３×５）の縦ラインは３行であり、縦ラインがマーキングされていない０行の個数から３行ともすべてマーキングできる組合わせは８種類の個別集合であり、これはＢとＣも同じである。
【００８１】
これを別の言い方で表示すれば、８＝２３、（Ａ）８×（Ｂ）×８（Ｃ）８＝（Ａ）２３Ｘ（Ｂ）２３Ｘ（Ｃ）２３であり
【００８２】
３）ＸＡ、ＸＢ、ＸＣの２３は、Ｘ（ＡＢＣ）で束ねる８組合わせが可能であるので、縦ラインマーキングの８種類の個別集合の中で下記の図表のように、４種類を１組として横軸で束ね、二重集合記号である２と３の二つの記号をＸ（ＡＢＣ）に適用して組み合わせると、表１１に表わすように形成される。
【００８３】
【表１１】
2018513509.tif 000014
【００８４】
図２のＸ軸上段に表示された通り、
（１）２、２、２（２）２、２、３（３）２、３、３（４）２、３、２（５）３、３、２（６）３、２、３（７）３、２、２（８）３、３、３の８種類の番号範囲の整列が生成され、この時、前記番号範囲整列の二重集合Ｘ（ＡＢＣ）はｘ軸（横）にし、ｘ軸（横）と配列を異にした縦をＸ（ＡＢＣ）のｙ軸に図２のように区分すれば、ｘ（スモール）は横軸に二重集合２（ａ、ｅ、ｃ、ｇ）と二重集合３（ｂ、ｆ、ｄ、ｈ）であり、ｙ（スモール）は縦軸に二重集合２（ａ、ｅ、ｂ、ｆ）と二重集合３（ｃ、ｇ、ｄ、ｈ、）である。
【００８５】
また、Ｘの（ｘ）と（ｙ）はそれぞれ二重集合を構成する元素（個別集合）の縦ラインの位置が異なるので、Ｘ（ｘ）の８種類の二重集合を横に配列し、Ｘ（ｙ）は８種類の二重集合を縦に配列した状態で番号範囲整列順にそれぞれＸ（ｘ）∩Ｘ（ｙ）の接点位置には２３形式の１組に束ねられた６４区域の番号範囲グループが図２のように生成される。
【００８６】
これを計算すると、８種類の個別集合がＸの横軸に８種類、縦軸に８種類であるので、［２３×８（横軸）＝６４区域、６４×８（縦軸）］＝５１２通りの番号範囲となる。
【００８７】
ＹもＸと同様に５１２通りの個別集合が生成されるので、ＸとＹの組合わせの数量は５１２×５１２＝２６２，１４４通りの番号範囲であって、この中で毎回の当選番号が含まれた番号範囲が存在することがわかり、これは２６２，１４４通りの番号範囲を視覚的に判別可能であるように座標で凝縮したのが特徴である。
【００８８】
一方、前記Ｘ（９×５）での全体の番号範囲は４５６通りであり、Ｘ（３×５）では５１２通りである。すなわち、Ｘ（９×５）を３等分したＸ（３×５）ＡＢＣの５１２通りには、それぞれ０行と１行、７行、８行、９行がすべて含まれた縦ラインのマーキングであるので、計算すると、９Ｃ０＋９Ｃ１＋９Ｃ７＋９Ｃ８＋９Ｃ９＝５６通りが虚数であることがわかる。
【００８９】
したがって、本発明はＸ（９×５）の全体である４５６通りの４５６×４５６＝２０７，９３６通りの番号範囲をすべて含み、虚数である縦ラインの５６通りはＡ＋Ｂ＋Ｃをすれば識別が可能であるので容易に排除させることができる特徴があり、虚数の番号範囲数量は２６２，１４４−２０７，９３６＝５４，２０８通りであって約２０％であり、以下の表１２は虚数の例である。
【００９０】
【表１２】
2018513509.tif 000015
Ａ＋Ｂ＋Ｃ＝０                  Ａ＋Ｂ＋Ｃ＝１（最大５個の番号のみ出る）
2018513509.tif 000016
Ａ＋Ｂ＋Ｃ＝７（最小７個の番号が出る）    Ａ＋Ｂ＋Ｃ＝８（最小８個の番号が出る）
【００９１】
３．番号範囲（マーキングする縦ラインの位置）を抽出する方法
原理：ＸのＡ（ｘ∩ｙ）、Ｂ（ｘ∩ｙ）、Ｃ（ｘ∩ｙ）のそれぞれを抽出し、ＹのＡ（ｘ∩ｙ）、Ｂ（ｘ∩ｙ）、Ｃ（ｘ∩ｙ）のそれぞれを抽出する。
【００９２】
１）６３４回のロト当選番号の例を表１２に表わす。
【００９３】
【表１３】
2018513509.tif 000017
ＸＡ（ｘ∩ｙ）                                          ＹＡ（ｘ∩ｙ）
【００９４】
６３４回のロト当選番号を見ると、Ｘ（ＡＢＣ）＝（Ａ）ｈ、（Ｂ）ｂ、（Ｃ）ｄであり、ＸＡの縦ラインにマーキング位置はｈ、すなわち、１＋２＋３＝ｈである。
【００９５】
ＸＡｘでｈを含む集合記号は３であり、ＸＡｙはｈを含んでいる集合記号は３である。したがって、ＸＡｘは３でありＸＡｙは３である。
【００９６】
前記のように決定されたＸＡｘの集合３の元素とＸＡｙの集合３の元素を相互間で交差（ＸＡｘ∩ＸＡｙ）させて一致する元素を図２でみると、ｄ、ｈが共通番号で存在することがわかる。
【００９７】
２）ＸＢの場合、縦ラインにマーキングがｂである。したがって、ＸＢｘの集合は３、ＸＢｙの集合は２であり、共通番号はｂ、ｆである。
【００９８】
３）ＸＣの場合、縦ラインのマーキングがｄである。したがって、ＸＣｘの集合は３、ＸＣｙの集合は３であり、共通番号はｄ、ｈである。
【００９９】
前記の事項をまとめてみると、Ｘ（ＡＢＣ）の集合は３、３、３であり、Ｙ（ＡＢＣ）の集合は３、２、３となる。
【０１００】
４）前記結果を図２の番号範囲グループで探してみると、Ｘ軸の３、３、３とＹ軸の３、２、３が会う所にＡ（ｄ、ｈ）、Ｂ（ｂ、ｆ）、Ｃ（ｄ、ｈ）が抽出されてこれを組み合わせると合計８種類（２×２×２＝２３）の番号範囲の中に当選番号があることがわかる。
【０１０１】
５）番号範囲グループを応用して番号範囲を予測する方法：
ＸのＡＢＣ全体ではないＸＡ（ｄ、ｈ）の元素だけが抽出された場合に、図２のグループの中にＸＡ（ｄ、ｈ）の元素が存在する範囲集合の位置を確認してみると、全体６４区域の範囲集合の中に１６区域の範囲集合だけがＸＡ（ｄ、ｈ）に存在することを確認でき、抽出しようとする番号範囲が縮小されたことがわかる。前記縮小された番号範囲は図２でマーキング表示（■）で表わした。
【０１０２】
また、ＸのＡＢＣの中でＸＡ（ｄ、ｈ）、ＸＢ（ｂ、ｆ）の元素だけが抽出された場合、番号範囲を確認すると、Ｘ軸に当選番号が図２の斜線表示（
2018513509.tif 000018
）で表わした通り、４区域に存在することがわかり、したがって、Ａ（ｘ∩ｙ）、Ｂ（ｘ∩ｙ）の元素だけを抽出しても当選予想番号の範囲を抽出することが容易となることがわかる。
【０１０３】
すなわち、ＸＡの元素だけを抽出しても番号範囲グループを通じて１６区域のＸのＡＢＣ範囲を抽出することができ、ＸＡとＸＢの元素を同時に抽出すれば１６区域のＸのＡＢＣ番号範囲から４区域のＸのＡＢＣ番号範囲に縮小して抽出できる効果がある。この時の確率は、（１）ＸＡの元素だけ抽出した場合、１６区域のＸのＡＢＣ番号範囲を抽出することができるが、１区域は８種類の番号範囲であるのでＸに対する８×１６＝１２８通りが番号範囲であり、ＹのＡＢＣは元素を抽出していない状態であるので１２８×５１２＝６５，５５６種類の番号範囲が存在することになり、（２）ＸＡとＸＢの元素を抽出する場合には４区域の番号範囲を抽出できるので、４×８×５１２＝１６，３８４種類の番号範囲が抽出される。（３）ＸＡ＋ＸＢ＋ＸＣ（ｄ、ｈ）元素を全部抽出した場合、１×８×５１２＝４，０９６種類の番号範囲が抽出される。
【０１０４】
６）Ｙ（ＡＢＣ）＝（Ａ）ｈ、（Ｂ）ｆ、（Ｃ）ａ、ＹのＡは１＋２＋３＝６、ＹのＢは１＋３＝４、ＹのＣは０が各縦ラインにマーキングされた。
ＹのＡ（ｘ）の集合は３、（ｙ）の集合は３−−−−ＹＡ（ｘ∩ｙ）場合ｄ、ｈの元素生成
ＹのＢ（ｘ）の集合は３、（ｙ）の集合は２−−−−ＹＢ（ｘ∩ｙ）場合ｂ、ｆの元素生成
ＹのＣ（ｘ）の集合は２、（ｙ）の集合は２−−−−ＹＣ（ｘ∩ｙ）場合ａ、ｅの元素生成
したがって、ＹのＡ（ｘ）、Ｂ（ｘ）、Ｃ（ｘ）は３、３、２であり、ＹのＡ（ｙ）、Ｂ（ｙ）、Ｃ（ｙ）は３、２、２をＡ（ｘ∩ｙ）、Ｂ（ｘ∩ｙ）、Ｃ（ｘ∩ｙ）すると、ＹのＡ（ｄ、ｈ）、Ｂ（ｂ、ｆ）、Ｃ（ａ、ｅ）。
当選番号は、Ｘはｈ、ｂ、ｄとＹはｈ、ｆ、ａであるが、番号範囲はＸのＡ（ｄ、ｈ）、Ｂ（ｂ、ｆ）、Ｃ（ｄ、ｈ）とＹのＡ（ｄ、ｈ）、Ｂ（ｂ、ｆ）、Ｃ（ａ、ｅ）の１区域の形態から抽出されたものである。
【０１０５】
７）全体確率計算：６３４回当選番号の縦ラインのマーキングは、（１）Ｘのｘ集合は３、３、３とｙ集合は３、２、３のｘ∩ｙによる元素は、ＸのＡ（ｄ、ｈ）、Ｂ（ｂ、ｆ）、Ｃ（ｄ、ｈ）と（２）Ｙのｘの集合は３、３、２とｙの集合３、２、２のｘ∩ｙよる元素は、ＹのＡ（ｄ、ｈ）、Ｂ（ｂ、ｆ）、Ｃ（ａ、ｅ）である。そして、表１３に表わした通り、（１）ＸのＡ（ｄ、ｈ）とＹのＡ（ｄ、ｈ）だけを抽出した場合、（ｘ）１６×（ｙ）１６＝２５６種類の番号範囲が抽出され、１個の集合範囲には８種類の元素が存在するので、これを計算すると、ｘ（８×１６）×ｙ（８×１６）＝６４×２５６＝１６，３８４種類の番号範囲が抽出される。
（２）ＸのＡ（ｄ、ｈ）、Ｂ（ｂ、ｆ）とＹのＡ（ｄ、ｈ）だけを抽出した場合、４×１６＝６４種類の集合番号範囲抽出個数：ｘ（８×４）×ｙ（８×１６）＝３２×１２８＝４，０９６種類である。
（３）ＸのＡ（ｄ、ｈ）、Ｂ（ｂ、ｆ）とＹのＡ（ｄ、ｈ）、Ｂ（ｂ、ｆ）だけを抽出した場合、４×４＝１６種類。
番号範囲抽出個数：ｘ（８×４）×ｙ（８×４）＝３２×３２＝１，０２４種類である。
（４）ＸのＡ（ｄ、ｈ）、Ｂ（ｂ、ｆ）、Ｃ（ｄ、ｈ）とＹのＡ（ｄ、ｈ）、Ｂ（ｂ、ｆ）だけを抽出した場合、
１×４＝４種類、番号範囲抽出個数：ｘ（８×１）×ｙ（８×４）＝８×３２＝２５６種類である。
（５）ＸのＡ（ｄ、ｈ）、Ｂ（ｂ、ｆ）、Ｃ（ｄ、ｈ）とＹのＡ（ｄ、ｈ）、Ｂ（ｂ、ｆ）、Ｃ（ａ、ｅ）全部を抽出した場合、１×１＝１種類、番号範囲抽出個数：ｘ（８×１）×ｙ（８×１）＝８×８＝６４種類である。
【０１０６】
ところで、２６３，１４４通りには５４，２０８通りである約２０％の虚数が含まれているので、前記のそれぞれの確率より平均的に約２０％の確率をさらに高めることができる。
【０１０７】
【表１４】
2018513509.tif 000019
＊Ｘ（ＡＢＣ）とＹ（ＡＢＣ）の番号範囲を抽出する場合、その確率変化表
【０１０８】
４．予想当選番号の流れを把握して番号範囲を抽出する方法（便宜上１セットでのみ説明）ＸのＡ（ｘ∩ｙ）、Ｂ（ｘ∩ｙ）、Ｃ（ｘ∩ｙ）とＹのＡ（ｘ∩ｙ）、Ｂ（ｘ∩ｙ）、Ｃ（ｘ∩ｙ）が存在。
ＤＢ保存方法。
ＸのＡＢＣは条件が同じであるので、ＸＡだけを例に挙げる。
【０１０９】
【表１５】
2018513509.tif 000020
【０１１０】
前記図表は、毎回の当選番号によってマーキングする縦ラインＡのスモール（ｘ）とスモール（ｙ）の元素に対する集合記号である。
ＡのＡｘの横（上段）の集合は２であり元素はａ、ｅ、ｃ、ｇで構成し、
ＡのＡｘの横（下段）の集合は３であり元素はｂ、ｆ、ｄ、ｈで構成する。
ＡのＡｙの縦（左側）の集合は２であり元素はａ、ｅ、ｂ、ｆで構成し、
ＡのＡｙの縦（右側）の集合は３であり元素はｃ、ｇ、ｄ、ｈで構成する。
ＸＡに該当する毎回の当選番号のマーキングする縦ラインは、ＡｘとＡｙに常に存在するのでＡｘに含まれている集合を毎回記録して保存し、Ａｙも記録して保存する。
【０１１１】
１）図３は、ＸＡのｘに記録した集合を羅列したグラフである。
集合記号を使って現在の回次から９回前までを、１段（現在）から９段（９回前）までに表示して連続的に当選番号の流れをチャート（ｃｈａｒｔ）形態で表示しておいたデータであって、図３に示している。
【０１１２】
各段は、その流れとその高低差の変化が多様な形態の、あるパターンを構成していることがわかり、１段から９段までを一つの流れで統合（図４）には全体的な流れが波形態をなしていることもわかる。
【０１１３】
２）例えば、第６１７回から第６３７回まで。
１段は毎回（第６３７回基準）のロト当選番号の縦ラインのマーキングに該当する集合記号（以下、集合）を記録して流れを把握し、２段は第６３７回＋第６３６回の集合を加えた継続記録であり、３段は第６３７回＋第６３６回＋第６３５回の集合を加えた継続記録であり、４段は第６３７回＋第６３６回＋第６３５回＋第６３４回の集合を加えた継続記録であって、一つのデータで１段（現在第６３７回）から９段（９回前、第６２９回）までの集合の流れを分析できるこのような方法は、従来出現した番号とそうではない番号で構成して分析する方法とは根本的な差がある。
【０１１４】
特徴：（１）最近出現した当選番号を現在の回次から９回前までの３段階に分類し、流れの動向を持続的に把握したデータを記録して保存することによって、当選番号がどの方向に動くのかを細かく予想することができる。
（２）ロト当選番号の全体的な流れをみると、株式の流れのように高低の形式をなしつつ動いていることがわかり、１段から９段まで一定の方向に動く場合が多いこともわかる。
（３）さらに、各段が無差別に動く１段から９段までの流れを統合したデータの流れをみると、最高点と最低点が明らかに区分されることがわかる。
（４）また、１段から９段までの流れを段階別、合計別（図４参照）、平均別に区分してＤＢに保存して毎回の当選番号の流れを分析し、
（５）また、前記のような方式でＸＡの（ｘ）と（ｙ）を１段から９段まで段階別、合計別、平均別に当選番号の流れをそれぞれ把握してＸＡ（ｘ＋ｙ）を統合したデータすなわち、１段（ｘｙ）、２段（ｘｙ）、３段（ｘｙ）．．．．．９段（ｘｙ）まで、そして、段階別、平均別、合計別まで比較分析してみると、ｘとｙが会う形態とそうではない形態、広がる形態と近づく形態、交差する形態の５つの形態で動くことがわかる。
（６）前記のような３種類の６通りの方法ですべて分析してその流れを判断するが、重要な特徴はその流れを予測する場合に、各段の現在の点を基準として出発するのではなく別途の開始点（図３の右側端の１段の０点から９段の２２点まで）が別途存在するということである。すなわち、開始点は、現在の各段の点より上昇または下落するかを予想することができるように、今回の予想番号範囲を抽出するための各段の基準点である。
【０１１５】
＊開始点：現在から９回を含んだものであるので、９段は８段が現在であり開始点であり、８段は７段が現在であり開始点であり、７段は．．．．．１段が現在であり開始点は０になるものであり、ここでの”は今回の予想番号範囲がまだわからない状態を意味する。
【０１１６】
前記のような手段で元素を異にする集合記号のデータは基本が４セットである。便宜上１セットだけを説明しており、４セットを前記のように分類したデータを一つのデータに糾合して分析すると予想番号範囲をさらに狭めることができる。
【０１１７】
またＸ（ＡＢＣ）、Ｙ（ＡＢＣ）を通じて抽出された番号範囲は１区間毎（Ａ、Ｂ、Ｃ）にそれぞれを分析するので、当選番号と比較する場合、３区間のうちどの区間が間違っているかを容易に確認できる特徴がある。
【０１１８】
前記の通りに構成される本発明に係る当選予想番号を通信網を利用して実行するためには、図５に示したように、各種通信網を通じてインターネットまたは一般の需要者が所持するスマートフォンに設置された当選予想番号範囲生成方法は当選予想番号アプリケーションを通じて提供できる。
【０１１９】
前記本発明に係る当選予想番号範囲を生成するためには、まず、使用者はインターネットまたはスマートフォンを通じて９個の横番号の配列と５個の縦番号の配列にしたがって横に１〜４５の番号を順次的または非順次的に記載してなるＸ軸の番号配列組合わせと９個の横番号の配列と５個の縦番号の配列にしたがって縦に１〜４５の番号を順次的または非順次的に記載してなるＹ軸の番号配列組合わせ（Ｙ）で形成された当選予想番号範囲をダウンロードする当選予想番号アプリケーションダウンロード段階；前記使用者は当選予想番号アプリケーションに接続して会員加入後ログインするログイン段階；前記ログイン状態の当選予想番号アプリケーションで当選予想番号範囲を組み合わせている当選予想番号範囲のデータを要請して管理サーバーに伝送する段階；前記管理サーバーから使用者が要請した当選予想番号範囲データを使用者に伝送する段階；前記伝送されたデータを通じて当選予想番号を生成するためのＸ軸の番号配列組合わせ（Ｘ）とＹ軸の番号配列組合わせ（Ｙ）をそれぞれ横３個の番号の配列（１２３）（４５６）（７８９）と縦５個の番号の配列（１２３４５）で形成されるように、３個（Ａ、Ｂ、Ｃ）に分離して区間番号の配列集合からなるＸ軸およびＹ軸区間番号の配列集合Ｘ（Ａ、Ｂ、Ｃ）、Ｙ（Ａ、Ｂ、Ｃ）と、前記Ｘ軸区間番号の配列集合とＹ軸区間配列集合は横（ｘ）３個の番号の配列（１２３）と縦（ｙ）５個の配列（１２３４５）で形成してそれぞれ８種類のグループが生成（ａｂｃｄ）（ｅｆｇｈ）されるようにしてなる個別番号の配列集合（ｘ、ｙ）群を順次または非順次的に使用者が当選予想番号範囲データに入力する段階；前記当選予想番号範囲データに入力された個別番号の配列集合（ｘ、ｙ）群に対して管理サーバーで４種類（２：ａｅｃｇ）（３：ｂｆｄｈ）のグループを束ねて予想番号集合がなされるように形成されたｘおよびｙの二重集合配列（２、３）群の共通番号（ｘ∩ｙ）を抽出して、個別集合（Ａ＋Ｂ＋Ｃ）の当選予想番号範囲を抽出してこれをディスプレイにイメージ形態で表示すると、需要者は表示された当選予想番号範囲内で当選予想番号を選定して管理サーバーに分析を要請する段階；前記管理サーバーで需要者が入力した当選予想番号を分析して需要者に当選可能な当選予想番号を付与する付与段階；を含んでなる。
【０１２０】
すなわち、使用者は、通信網を通じて連結されたインターネットやスマートフォンに当選予想番号範囲生成のための当選予想番号アプリケーションを設置する。そして、前記当選予想番号アプリケーションに加入した使用者は、当選予想番号アプリケーションを通じて接続してログイン状態を維持する。この時、会員未加入者は会員加入を通じてログイン状態を維持すればよい。
【０１２１】
前記ログイン状態で使用者は、当選予想番号範囲を生成するための９個の横番号の配列と５個の縦番号の配列にしたがって横に１〜４５の番号を順次的または非順次的に記載してなるＸ軸の番号配列組合わせ（Ｘ）と、９個の横番号の配列と５個の縦番号の配列にしたがって縦に１〜４５の番号を順次的または非順次的に記載してなるＹ軸の番号配列組合わせ（Ｙ）からなる当選予想番号範囲データを要請して管理サーバーに伝送する。そうすると、管理サーバーではこれを確認した後、使用者が要請した当選予想番号範囲データを使用者に伝送する。
【０１２２】
そして、使用者は当選予想番号範囲データを通じて当選予想番号を生成するためのＸ軸の番号配列組合わせとＹ軸の番号配列組合わせを利用してそれぞれＸ軸およびＹ軸区間番号の配列集合Ｘ（Ａ、Ｂ、Ｃ）、Ｙ（Ａ、Ｂ、Ｃ）を分離して横（ｘ）３個の番号の配列（１２３）（４５６）（７８９）と縦（ｙ）５個の番号の配列（１２３４５）で形成されるように３個（Ａ、Ｂ、Ｃ）に分離して区間番号の配列集合を通じて番号を順次または非順次的にデータを入力する。
【０１２３】
そして、横（ｘ）３個の番号の配列（１２３）と縦（ｙ）５個の配列（１２３４５）で形成して８種類のグループが生成（ａｂｃｄ）（ｅｆｇｈ）されるようにしてなる個別番号の配列集合（ｘ、ｙ）群に対して、４種類（２：ａｅｃｇ）（３：ｂｆｄｈ）のグループを束ねて予想番号集合がなされるように形成されたｘおよびｙの二重集合配列（２、３）群の共通番号（ｘ∩ｙ）を抽出して個別集合（Ａ＋Ｂ＋Ｃ）の当選予想番号を抽出し、これをディスプレイにイメージ形態で表示すると、需要者は表示された当選予想番号範囲内で当選予想番号を選定して管理サーバーに分析を要請する。それから前記管理サーバーで需要者が入力した当選予想番号を分析して需要者に当選可能な当選予想番号を付与する。この時、Ｘ軸の番号配列組合わせとＹ軸の番号配列組合わせからなる当選予想番号範囲に使用者が入力できるが、必要によっては自動で演算して現れた当選予想番号範囲をイメージで伝送することもできる。
【０１２４】
前記入力されたＸ軸の番号配列組合わせとＹ軸の番号配列組合わせを横と縦３×５の配列に分離してｘおよびｙの二重集合配列（２、３）群を形成する段階；前記ｘおよびｙの二重集合配列（２、３）群の共通番号（ｘ∩ｙ）を抽出して個別集合（Ａ＋Ｂ＋Ｃ）の当選予想番号を抽出すると、これをディスプレイにイメージ形態で当選予想番号を表示する段階からなる。
【０１２５】
すなわち、使用者は、インターネットやスマートフォンに当選予想番号範囲生成のための当選予想番号アプリケーションを設置する。
【０１２６】
そして、使用者は、当選予想番号アプリケーションを通じて接続してログイン状態を維持する。会員未加入者は、会員加入を通じてログイン状態を維持すればよい。前記ログイン状態で、使用者は、当選予想番号範囲を生成するためのＸ軸の番号配列組合わせと、Ｙ軸の番号配列組合わせからなる当選予想番号範囲を要請する。
【０１２７】
そして、需要者は、Ｘ軸の番号配列組合わせとＹ軸の番号配列組合わせを利用してそれぞれＸ軸およびＹ軸区間番号の配列集合Ｘ（Ａ、Ｂ、Ｃ）、Ｙ（Ａ、Ｂ、Ｃ）を分離して横（ｘ）３個の番号の配列（１２３）（４５６）（７８９）と縦（ｙ）５個の番号の配列（１２３４５）で形成されるように３個（Ａ、Ｂ、Ｃ）に分離して区間番号の配列集合を通じて番号を順次または非順次的に入力する。
【０１２８】
そして、横（ｘ）３個の番号の配列（１２３）と縦（ｙ）５個の配列（１２３４５）で形成して、それぞれ８種類のグループが生成（ａｂｃｄ）（ｅｆｇｈ）されるようにしてなる個別番号の配列集合（ｘ、ｙ）群に対して、４種類（２：ａｅｃｇ）（３：ｂｆｄｈ）のグループを束ねて予想番号集合がなされるように形成されたｘおよびｙの二重集合配列（２、３）群の共通番号（ｘ∩ｙ）を抽出して個別集合（Ａ＋Ｂ＋Ｃ）の当選予想番号を抽出し、これをディスプレイにイメージ形態で表示すると、需要者は表示された当選予想番号範囲内で当選予想番号を選定して管理サーバーに分析を要請する。それから、前記管理サーバーでは、需要者が入力した当選予想番号を分析して需要者に当選可能な当選予想番号を付与する。
【０１２９】
この時、Ｘ軸の番号配列組合わせとＹ軸の番号配列組合わせからなる当選予想番号範囲に需要者が直接入力できるが、必要に応じて自動を選択してサーバーで自動で演算して現れた当選予想番号をイメージで伝送することもできる。
【０１３０】
前記当選予想番号範囲のデータに形成されたＸ軸の番号配列組合わせ（Ｘ）は、９個の横番号の配列と５個の縦番号の配列にしたがって横に１〜４５の番号を順次的または非順次的に記載し、Ｙ軸の番号配列組合わせ（Ｙ）は、９個の横番号の配列と５個の縦番号の配列にしたがって縦に１〜４５の番号を順次的または非順次的に記載して、Ｘ軸の番号配列組合わせ（Ｘ）とＹ軸の番号配列組合わせ（Ｙ）からそれぞれ当選予想番号６個の番号と一致した横および縦配列組合わせを抽出し、前記抽出されたＸ軸の番号配列組合わせとＹ軸の番号配列組合わせからそれぞれ共通集合の当選予想番号を抽出した後、横配列に記載されている一つ以上の当選予想番号と縦配列にそれぞれ一つずつ記載されている当選予想番号の中から絶対番号を抽出し、絶対番号を含んだ当選予想番号の中で奇数の当選予想番号と偶数の当選予想番号の比率を対比し、Ｘの縦ラインとＹの縦ラインに相互充足する規則を適用して当選予想番号を抽出するのである。
【０１３１】
そして、前記当選予想番号範囲をグラフで抽出するためには、
１段には今回の当選番号がわからないので０で表記し、
２段には現在の二重集合配列群の０と１回前（ｂｅｆｏｒｅ）の当選番号に該当する１段の二重集合配列群の合計を表記し、
３段には現在の二重集合配列群の０回前と当選番号に該当する１段の二重集合配列群と２回前（ｂｅｆｏｒｅ）の当選番号に該当する１段の二重集合配列群の当選番号の合計を表記し、
４段には現在の二重集合配列群の０と１回前の当選番号に該当する１段の二重集合配列群と２回前と３回前（ｂｅｆｏｒｅ）の当選番号の合計を表記し、
５段には現在の二重集合配列群の０と１回前の当選番号に該当する１段の二重集合配列群と２回前と３回前、４回前（ｂｅｆｏｒｅ）の当選番号の合計を表記し、
６段には現在の二重集合配列群の０と１回前の当選番号に該当する１段の二重集合配列群と２回前と３回前、４回前、５回前（ｂｅｆｏｒｅ）の当選番号の合計を表記し、
７段には現在の二重集合配列群の０と１回前の当選番号に該当する１段の二重集合配列群と２回前と３回前、４回前、５回前、６回前（ｂｅｆｏｒｅ）の当選番号の合計を表記し、
８段には現在の二重集合配列群の０と１回前の当選番号に該当する１段の二重集合配列群と２回前と３回前、４回前、５回前、６回前、７回前（ｂｅｆｏｒｅ）の当選番号の合計を表記し、
９段には現在の二重集合配列群の０と１回前の当選番号に該当する１段の二重集合配列群と２回前と３回前、４回前、５回前、６回前、７回前、８回前（ｂｅｆｏｒｅ）の当選番号の合計を表記し、
前記１段から９段に毎回作成した各段にある二重集合配列群の点と次の回次から各段に該当する二重集合配列群の点を互いに連結したグラフを通じて、当選予想番号の流れを視覚的に見ながら当選予想番号を抽出することもできる。
【０１３２】
したがって、本発明に係る当選予想番号範囲データに形成されるＸ軸の番号配列組合わせ（Ｘ）でマーキングする縦ラインの確率は［表１］に表わすように５１２通りであり、６／４５の場合の計算は９Ｃ２＋９Ｃ３＋９Ｃ４＋９Ｃ５＋９Ｃ６＝４５６であり、これは番号の配列だけを異ならせたＹ軸の番号配列組合わせ（Ｙ）においても４５６通りであり、この時の縦ラインの種類は、ｘ∩ｙを組み合わせできる場合の数量となるので、（Ｘ軸の番号配列組合わせの４５６）×（Ｙ軸の番号配列組合わせの４５６）＝２０７，９３６通りがＸ∩Ｙして抽出できる番号範囲で交じり合ったものであるので、当選予想番号範囲を容易に形成することができる。
【０１３３】
前記のような段階からなる本発明は、
１）６個の当選番号をＸ（ＡＢＣ）とＹ（ＡＢＣ）をそれぞれの３区間（ＡＢＣ）、９段階（現在から９回前まで）に分類して細かい分析ができる。
２）９段階（現在から９回前まで）の各段を一目で見られるようにすることによって当選番号の流れの変化を容易に判断することができる。
３）３区間、９段階の分析を集合記号または元素配列を異ならせると当選番号の流れを比較できる多様なデータを生成することができる。
４）開始点に当選予想範囲の集合記号（元素、番号範囲）を仮想で入力できるので、今回の当選番号の流れを先に予想することができる。
５）当選番号の流れを１区間で３通りに比較できるデータを生成することができる。仮に、（１）９段階の個別分析、（２）１段〜９段を統合して分析、（３）１段〜９段までの平均分析が可能である。
【０１３４】
それだけでなく、本発明は、
１．番号範囲のグループとは、毎回出現する６個の当選番号が含まれた番号範囲を５１２通りに画定したものであって、Ｘ軸の番号配列組合わせとＹ軸の番号配列組合わせをそれぞれ６４区域に分けて最適化して１区域ごとに８種類の番号範囲が独立して２３（ＡＢＣ）形態の１組の単位で凝集している番号範囲を肉眼で判別できるように凝縮させた特徴がある。
２．番号範囲グループで毎回の当選番号を含む番号範囲の流れを３区間９段階に分析して当選予想範囲を抽出して提供することにその特徴がある。
３．番号範囲グループは、単に５１２通りの番号範囲だけを限定するためにグループ化したのではなく、予想番号の番号範囲をＸ（ＡＢＣ）またはＹ（ＡＢＣ）の３区間の各区間で抽出する優先順位によって予想番号範囲を予想し、方向を提示する道しるべとして非常に重要な特徴がある。
４．番号範囲グループで当選予想範囲を分析して抽出することによって毎回新しい番号範囲を抽出する従来の方法とは違って、個々の番号の離脱と重複した組合わせを事前に防止することができ、変化の激しい当選番号範囲の流れを番号範囲グループでのみ予測すれば済むので、安定した組合わせができる特徴がある。
５．一般的な組合わせの数量（４５６通り）を含んで生成された５１２通りの番号範囲は、虚数の番号範囲を肉眼で判別できる特徴があり、６／４５個の番号（７×７）の配列である大韓民国だけでなくアメリカ、中国、ドイツ、カナダの６／４９（７×７）番号と日本の６／４３（７×７）番号など、いかなる個数の配列の構造でも虚数を適用して番号範囲を抽出できる特徴がある。
６．番号範囲を抽出するための手段として、当選番号範囲の流れを分析するために集合記号を使う点、現在から９回前までを９段階の形態で継続的に連結して視覚的判別が可能な点、高低差と最高点および最低点に対する予想番号範囲の流れを事前に予想することができるように開始点がある点、二重集合記号または集合元素の配列を異ならせて配置することによって当選番号の多様なパターンの流れを多角的に分析できる点、各区間別に当選番号と異なる位置を容易に確認できる点の特徴がある。
７．予想番号範囲をｘ∩ｙしてイメージデータ形態で抽出し、その共通番号のＸ軸の番号配列組合わせとＹ軸の番号配列組合わせの協力対応関係の規則を適用することによって、きわめて当選することが希薄な番号も採択するか除外させることができるように判別する特徴がある。
以上、本発明に対する技術思想を添付した図面とともに叙述したが、これは本発明の好ましい実施例を例示的に説明したものに過ぎず、本発明を限定するものではない。また、この技術分野の通常の知識を有した者であれば誰でも本発明の技術上の範疇を逸脱しない範囲内で多様な変形および模倣が可能であることは明白な事実である。
このように本発明は、インターネットやスマートフォンに設置された当選予想番号アプリケーションに加入してログインした後、管理サーバーで提供した当選番号範囲を需要者が直接入力した条件を管理サーバーで分析してすでに知られている確率より高い確率で需要者に当選予想番号を提供するので、産業上の利用可能性が高い。
【図１】
2018513509.tif 000021
【図２】
2018513509.tif 000022
【図３】
2018513509.tif 000023
【図４】
2018513509.tif 000024
【図５】
2018513509.tif 000025
【国際調査報告】
2018513509.tif 000026
2018513509.tif 000027
2018513509.tif 000028
2018513509.tif 000029